(57)【要約】【課題】遊技盤ユニットを交換しても球通路の配置が遊技盤後方領域を狭めることがなく、遊技盤後方領域を拡大して有効利用できる遊技機を提供する。【解決手段】球払出通路２２若しくは球抜き通路２６のいずれかを形成する通路壁の少なくとも一部が盤裏カバー２７の外壁面２７ａを用いてされている。【選択図】図４
2011056089.tif 000002
【特許請求の範囲】
【請求項１】
遊技機外形をなす外枠と、
該外枠に対してヒンジ部を中心に開閉可能に設けられ、開口部に遊技盤を着脱可能に保持する内枠と、
前記遊技盤の背面側を覆う盤裏カバーと、
遊技球を貯留する貯留タンクに接続するタンクレールを介して整列して供給される遊技球を順次払い出す球払出手段と、
前記球払出手段より払い出された遊技球を球受け皿へ誘導する球払出通路と、
前記球払出手段の上流側に誘導された遊技球を球抜き通路を通じて機外へ排出する球抜き手段と、を備えた遊技機であって、
前記球払出通路若しくは前記球抜き通路のいずれかを形成する通路壁の少なくとも一部が前記盤裏カバーの外壁面で形成されていることを特徴とする遊技機。
【請求項２】
前記球払出通路若しくは球抜き通路は、前記遊技盤が内枠に組み付けられた状態で、前記盤裏カバーの外壁面と対向する前記内枠若しくは外枠の側壁面とで形成される請求項１記載の遊技機。
【発明の詳細な説明】
【技術分野】
【０００１】
本発明は、遊技機に関する。
【背景技術】
【０００２】
パチンコ機などの遊技機には、遊技機本体の上辺部に設けられる貯留タンクにホールの島から遊技球が供給される。貯留タンクに供給された遊技球は、タンクレールを通じて遊技機本体の側部に沿って上下に配置された球通路に整列して誘導され、当該球通路内を流下して球払出装置へ供給される。球払出装置は、供給された遊技球を払出指令に応じて所定数の貸球や賞球として球払出通路を経て球受け皿へ払い出すようになっている。
【０００３】
パチンコ機などの遊技機の新台入れ替えを行なう場合、ホールの島から遊技機本体を取り外すことも考えられるが、経済性を考慮して遊技機本体（外枠及び内枠）はそのまま再利用して、図柄表示装置（液晶表示装置）やセンター役物を含む遊技盤及びその後方に設けられる制御基板等の遊技盤ユニットを入れ替える所謂盤替えによりリニューアルすることも行なわれている。
【０００４】
遊技機背面側（内枠）には機構板が設けられ、該機構板には遊技球を貯留するタンクやこれに接続するタンクレール、タンクレールより整列して供給される遊技球を貸球や賞球として払い出す球払出装置や、該球払出装置から遊技球を球受け皿に誘導する球払出通路、或いは遊技機に貯留する遊技球を一旦機外に球抜きするための球抜き通路が設けられている。また、払出制御基板、発射制御基板などの各種制御基板も後方に配置される。
【０００５】
近年の図柄表示装置（液晶表示装置）の大型化やセンター役物の大型化に伴い、遊技領域の後方のスペース拡大が望まれている。遊技盤の後方スペースを確保するための工夫として金属製の遊技盤収納フレームと機構板との間の空間に球抜き通路として利用する遊技機が提案されている（特許文献１参照）。
また、球抜き通路が遊技盤の背面側と機構板の前面側との間の空間に設置された遊技機も提案されている（特許文献２参照）。
【先行技術文献】
【特許文献】
【０００６】
【特許文献１】特開２０００−１６７１９０号公報
【特許文献２】特開２００８−１８８４６６号公報
【発明の開示】
【発明が解決しようとする課題】
【０００７】
上述した金属製の遊技盤収納フレームの背面側と機構板の前面側との間の空間や遊技盤の背面側と機構板の前面側との間の空間に球抜き通路を形成する場合には、機構板に設けられる球払出装置や遊技機の配線がヒンジ側に設けられるため、機構板の前面側若しくは背面側で球通路として利用できるのは、ヒンジ側と反対側に限られてしまう。即ち、球抜き通路の設計上レイアウトの自由度が制限されてしまう。また、球払出装置に接続する球払出通路のレイアウトもヒンジ側になり設計上レイアウトの自由度が制約を受ける。この球抜き通路や球払出通路のレイアウト制限が、遊技盤後方領域を拡大する際の妨げとなる。また、球払出通路や球抜き通路は、四方を通路壁で囲まれている必要があるが、これらの通路壁の厚みも遊技盤後方領域を拡大する際の制約を助長する。
【０００８】
本発明の目的は、上記実情に鑑みてなされたものであり、遊技盤ユニットを交換しても球通路の配置が遊技盤後方領域を狭めることがなく、遊技盤後方領域を拡大して有効利用できる遊技機を提供することにある。
【課題を解決するための手段】
【０００９】
本発明は上記目的を達成するため、以下に述べる実施形態に用いられる手段として次の構成を備えることを特徴とする。
遊技機外形をなす外枠と、該外枠に対してヒンジ部を中心に開閉可能に設けられ、開口部に遊技盤を着脱可能に保持する内枠と、前記遊技盤の背面側を覆う盤裏カバーと、遊技球を貯留する貯留タンクに接続するタンクレールを介して整列して供給される遊技球を順次払い出す球払出手段と、前記球払出手段より払い出された遊技球を球受け皿へ誘導する球払出通路と、前記球払出手段の上流側に誘導された遊技球を球抜き通路を通じて機外へ排出する球抜き手段と、を備えた遊技機であって、前記球払出通路若しくは前記球抜き通路のいずれかを形成する通路壁の少なくとも一部が前記盤裏カバーの外壁面で形成されていることを特徴とする。
【００１０】
また、前記球払出通路若しくは球抜き通路は、前記遊技盤が内枠に組み付けられた状態で、前記盤裏カバーの外壁面と対向する前記内枠若しくは外枠の側壁面とで形成されることを特徴とする。
【発明の効果】
【００１１】
上述した遊技機を用いれば、遊技盤の背面側を覆う盤裏カバーの外壁面を用いて、少なくとも球払出通路若しくは球抜き通路のいずれかの通路壁が形成されているので、球払出通路若しくは球抜き通路を盤裏カバーの外側領域（例えば盤裏カバーの側方領域若しくは後方領域）に配置でき、遊技盤の後方領域を拡大して有効に利用することができる。
【００１２】
また、球払出通路若しくは球抜き通路は、遊技盤が内枠に組み付けられた状態で、盤裏カバーの外壁面と対向する内枠若しくは外枠の側壁面とで形成されるので、球払出通路や球抜き通路が四方を専用の通路壁で囲まれなくても既存の遊技機構成部品の壁面を利用して球通路を形成でき、内枠側部若しくは外枠側部の厚み分に加えて球通路を仕切る通路壁の厚み分だけ遊技盤後方領域を前後左右方向に拡大することができる。
【図面の簡単な説明】
【００１３】
【図１】パチンコ機の正面図である。
【図２】図１のパチンコ機の背面図である。
【図３】図２の遊技盤ユニットを取り外した内枠及び外枠のみの背面図である。
【図４】図３のパチンコ機の背面側の要部構成を示す縦断面図である。
【図５】図４のパチンコ機の球抜き通路の要部構成を示す縦断面図である。
【図６】図１のパチンコ機の要部構成を示す側断面図である。
【図７】内枠開閉動作と球抜き通路の形成との関係を示す要部水平断面図である。
【図８】他例に係るパチンコ機の背面図である。
【図９】図８の遊技盤ユニットを取り外した内枠及び外枠のみの背面図である。
【図１０】図９のパチンコ機の背面側の要部構成を示す縦断面図である。
【図１１】図１０のパチンコ機の球抜き通路の要部構成を示す縦断面図である。
【図１２】内枠開閉動作と球抜き通路の形成との関係を示す要部水平断面図である。
【図１３】他例に係る内枠開閉動作と球抜き通路の形成との関係を示す要部水平断面図である。
【発明を実施するための形態】
【００１４】
以下、本発明の実施形態について図面を参照しながら具体的に説明する。
図１及び図２を参照して本実施形態に係る遊技機の概略構成について説明する。本実施例としては、遊技機の一例としてパチンコ機について説明するものとする。
【００１５】
図１を参照して本実施形態に係るパチンコ機の概略構成について説明する。パチンコ機１は、外枠２と遊技盤３が設けられた内枠４（図２参照）と、該内枠４を覆う前面枠５を備えている。内枠４は、ヒンジ４ａ，４ｂにより外枠２に対して開閉可能に取り付けられている。また前面枠５は内枠４に対して開閉可能に取り付けられている（ヒンジ部図示せず）。前面枠５の中央部には遊技者が遊技盤３を視認できる窓部（ガラス枠）６が設けられている。該窓部６の周囲にはスピーカー７や装飾部（図示せず）などが設けられる。
【００１６】
また、窓部６の下方には、貸球や賞球を貯留し図示しない球発射装置へ遊技球を誘導する球受け皿８が設けられている。また、球受け皿８の右側には図示しない球発射装置が遊技球を遊技領域に向けて打ち出すための発射ハンドル９が設けられている。
【００１７】
遊技盤３の盤面上に形成される遊技領域内には、中央部に図柄表示装置（液晶表示装置）１０を備えたセンター役物１１が設けられ、その周囲には図示しない釘、スルーチャッカー１２、風車１３、電動チューリップ１４、アタッカー１５、遊技盤レール１６、サイドランプ１７などの盤面部品やアウト球（電動チューリップ１４，アタッカー１５に入賞しなかった遊技球）を回収するアウト口（図示せず）などが設けられている。
【００１８】
図２及び図３において、内枠３の背面側上辺部には貯留タンク１８が設けられ、貯留タンク１８にはパチンコ機１が配置されたホールの島から遊技球が供給される。貯留タンク１８は、球供給方向下流側（図２の右端側）に設けられるタンクレール１９に向けて底部が下方に傾斜するように形成されている。また、内枠３の背面側にはタンクレール１９の終端部（下流端）には球払出装置２０（球払出手段）が設けられている。球払出装置２０はタンクレール１９より整列して供給される遊技球を貸球、賞球として順次払い出す。球払出装置２０より払い出された遊技球は、連絡通路２１（図４参照）、球払出通路２２を流下して球払出樋２３を経て球受け皿８（図１参照）へ払い出される。
【００１９】
タンクレール１９の終端側には、球抜き機構２４（球抜き手段）が設けられている。球抜き機構２４は球払出装置２０より上流側に貯留された遊技球を球抜き接続通路２５、更には球抜き通路２６を通じて機外へ排出する（図６参照）。
【００２０】
図２において、遊技盤３の背面側には遊技動作を統括制御する主制御基板や図柄表示装置１０とこれを制御する画像処理基板等（図示せず）などが遊技盤ユニットＵとして一体に設けられている（図７（ｂ）参照）。遊技盤ユニットＵは遊技盤３の背面側が盤裏カバー２７に覆われている。内枠４の背面側には、球抜き通路２６に接続するアウト球集合樋２８やパチンコ機１の電源電圧を制御する電源基板や球払出装置２０の払出し動作を制御する払出制御基板などの制御ユニットが基板ケースカバー２９に覆われている。図７（ｂ）に示すように、遊技盤ユニットＵは内枠４の開口部４ｆに前面側より組み付けられる。
【００２１】
次に、球払出装置２０及び球抜き機構２４の一例について、図４乃至図７を参照して説明する。
図４において、球払出装置２０は、タンクレール１９より遊技球を流下させる湾曲した球誘導路３０と、該球誘導路３０へ流下した遊技球を順次払い出す回転体３１を備えている。回転体３１には、球誘導路３０を流下する遊技球を受け止める円弧部３１ａと遊技球を収容したまま送り出す球受け凹部３１ｂが回転方向に交互に設けられている。球誘導路３０はクランク状に屈曲した球通路であり、タンクレール１９から落下した遊技球の球圧を軽減している。
【００２２】
回転体３１の下流側には、計数センサ３２が設けられている。計数センサ３２は、回転体３１により払い出される遊技球の数をカウントする。計数センサ３２としては、例えば誘導型近接スイッチが用いられる、誘導型近接スイッチは空芯の検出コイルが設けられており、高周波磁界が発生している。この検出コイル近傍を遊技球が通過すると電磁誘導により誘導電流（渦電流）が流れて検出コイルのインピーダンスが変化する。このときの発振パルスを検出回路で検出して払い出される遊技球をカウントするようになっている。また、回転体３１は、図示しないモータにより回転駆動される。このモータの回転数を、払出検出基板３３に設けられたフォトセンサ（図示せず）により検出される。払出検出基板３３にはコネクタ３３ａが設けられており、図示しない払出制御基板と配線接続される。
【００２３】
図４において、計数センサ３２より下流側には、連絡通路２１が形成されており、球払出通路２２に連絡している。連絡通路２１には、満タンスイッチ３４が軸部３４ａを中心に揺動可能に設けられている。満タンスイッチ３４の近傍には、満タン検出基板３５が設けられている。満タン検出基板３５には、フォトセンサ３５ａが設けられている。球受け皿８（図１参照）が満タンになり球払出通路２２に払い出された遊技球が蓄積され、連絡通路２１にまで貯留されると、満タンスイッチ３４が球圧により押し込まれて。満タン検出基板３５に設けられたフォトセンサ３５ａにより検出される。満タンスイッチ３４により満タンが検出されると、回転体３１を駆動するモータの駆動を停止させるようになっている。満タン検出基板３５には、コネクタ３５ｂが設けられており、図示しない払出制御基板と配線接続されている。
【００２４】
図４において、球抜き機構２４は、貯留タンク１８及びタンクレール１９に貯留された遊技球を球抜き接続通路２５へ流下させる。具体的には、球抜きレバー２４ａがタンクレール１９を遮断するとともにタンクレール１９の底部開口１９ａに接続する球抜き接続通路２５の開口部２５ａを閉塞しているシャッター２５ｂを移動させて開口させる。タンクレール１９の底部開口１９ａより球抜き接続通路２５へ流下した遊技球は、球抜き通路２６へ誘導される。
【００２５】
図４及び図５において、球抜き通路２６の左右方向の通路壁は、盤裏カバー２７のカバー側壁部２７ｃ（外壁面２７ａ）と内枠４の内枠側壁部４ｅ（内壁面４ｃ）とで形成される。図５において、球抜き通路２６を流下した遊技球は受け口２８ａが開口する球抜き受け２８ｂに受け入れられて、アウト球集合樋２８を経て機外へ排出される。このように球抜き通路２６を専用の球通路を設けなくても既存の部材で球通路を形成し、しかも盤裏カバー２７の外壁面２７ａと内枠４の内壁面４ｃとで形成されるので、球抜き通路２６のレイアウト配置や形状を自由に設計することができ、遊技盤３の後方領域を有効に利用することができる。
【００２６】
図６において、球抜き通路２６の前後方向の通路壁は、遊技盤３の後方領域を覆う盤裏カバー２７のカバー前壁部２７ｂ（外壁面２７ａ）と内枠４の内枠後壁部４ｄ（内壁面４ｃ）とで形成されている。よって、球抜き通路２６の形成に格別な部品は必要とせず、部品点数を削減できるうえに、遊技盤３の後方領域を広く確保して部品配置スペースとして活用することができる。尚、球抜き通路２６に替えて、球払出通路２２を盤裏カバー２７の外壁面２７ａと内枠４の内壁面４ｃを利用して形成してもよい。
【００２７】
図７（ｂ）において、外枠２に対して内枠３が閉鎖状態にあり、遊技盤ユニットＵが内枠４の開口部４ｆに組み付けられると、盤裏カバー２７の外壁面２７ａと対向する内枠４の内壁面４ｃが対向配置され、球抜き通路２６が形成される（図７（ａ）参照）。
【００２８】
また、球払出通路２２は、内枠４のヒンジ側後方端であって盤裏カバー２７より後方側となるように内枠４に一体に組み付けられている。遊技盤ユニットＵを交換しても球払出通路２２が遊技盤３の後方領域を制約することにならず、しかも遊技盤３を交換しても球払出通路２２を共用することができる。
【００２９】
図７（ｂ）に示すように、盤裏カバー２７には側方に突出したカバー前壁部２７ｂとカバー前壁部２７ｂに連続するカバー側壁部２７ｃ、カバー側壁部２７ｃに連続するカバー後壁部２７ｄ、カバー後壁部２７ｄより後方に突出した後方突壁部２７ｅ（以上は外壁面２７ａ）が設けられている。また、内枠４の内枠側壁部４ｅに連続する内枠後壁部４ｄ（以上は内壁面４ｃ）が設けられている。図７（ａ）において、遊技盤ユニットＵが内枠４の開口部４ｆに組み付けられると、内枠側壁部４ｅとカバー側壁部２７ｃ、カバー前壁部２７ｂと内枠後壁部４ｄがそれぞれ対向し、これらによって四方が囲まれた球抜き通路２６が形成される。また、球払出通路２２は、盤裏カバー２７のカバー後壁部２７ｄの後面側に沿って配置される。
【００３０】
以上のように、球抜き通路２６が四方を専用の通路壁で囲まれなくても球通路を形成でき、内枠側部の厚み分に加えて球通路を仕切る通路壁の厚み分だけ遊技盤後方領域を左右両側に拡大することができ、パチンコ機１のほぼ中央に設けられる遊技盤ユニットＵの後方領域を拡大することができる。
また、球抜き通路２６を形成する四方の通路壁の厚みを省略でき省スペース化が図れるとともに、内枠４や盤裏カバー２７の構造も複雑にならないので、簡易かつ安価に遊技領域の後方領域を拡大することができる。
【００３１】
次に、球払出装置２０及び球抜き機構２４の他例について、図８乃至図１３を参照して説明する。上記実施形態と同一部材には同一番号を付して説明を援用するものとする。以下、異なる構成を中心に説明する。
図８及び図９において、内枠３の背面側に設けられる球払出装置２０（球払出手段）やこれに接続する球払出通路２２の構造や遊技盤３を含む遊技盤ユニットＵの構成は前述した実施形態と同様である。本実施形態は球払出装置２０の一部に球抜き機構３６（球抜き手段）が設けられ、球抜き機構３６に接続する球抜き通路２６が外枠２と盤裏カバー２７との間に形成される点が異なっている。以下、これらの構造を中心に説明する。
【００３２】
図１０において、球抜き機構３６は、球払出装置２０に設けられた球誘導路３７の一部に開閉弁３８を備えている。開閉弁３８は規制部材３９によって球誘導路３７の側壁の一部を形成するように位置規制されている。また、操作部材４０は、規制部材３９に対して回動（正逆いずれの方向にも回転）可能に支持されている。内枠４を開放した状態で操作部材４０を所定位置へ操作した後、内枠３を外枠２に対して閉鎖状態にすることで、操作部材４０が外枠２の側部と干渉するため、規制部材３９による開閉弁３８の位置規制が解除され、開閉弁３８はボス部３８ａを中心に回転して開閉可能な状態となる。
【００３３】
図１０において、開閉弁３８が開放されると、タンクレール１９から球払出装置２０の球誘導路３７に供給された遊技球は、盤裏カバー２７と外枠２との間に形成された球抜き通路２６へ誘導される。そして、図１１において、球抜き通路２６を流下した遊技球は、当該球抜き通路２６の下端で受け口２８ａが開口する球抜き受け２８ｂに受け入れられて、アウト球集合樋２８を通じて機外に排出される。
【００３４】
図１２（ｂ）において、内枠４の開口部４ｆに遊技盤ユニットＵが組み付けられる。盤裏カバー２７にはカバー側壁部２７ｃ、カバー側壁部２７ｃに連続するカバー後壁部２７ｄ、カバー後壁部２７ｄより後方に突出した後方突壁部２７ｅ（以上は外壁面２７ａ）が設けられている。また、外枠２は外枠側壁部２ｂの前後に連続する形態で外枠前壁部２ｃと外枠後壁部２ｄが形成されており（以上は凹面（側壁面）２ａ）、盤裏カバー２７と対向する側が開放した凹形状をなしている。
【００３５】
図１２（ａ）において、当該内枠４が外枠２に対して閉鎖されると、盤裏カバー２７のカバー側壁部２７ｃ（外壁面２７ａ）と対向する外枠２の外枠側壁部２ｂ（凹面２ａ）が対向配置され、対向する外枠前壁部２ｃと外枠後壁部２ｄ（凹面２ａ）とで四方が囲まれた球抜き通路２６が形成される。
【００３６】
また、球払出通路２２は、内枠４のヒンジ側後方端であって盤裏カバー２７のカバー後壁部２７ｄの後面側に沿って配置されるように内枠４に一体に組み付けられている。遊技盤ユニットＵを交換しても球払出通路２２が遊技盤３の後方領域を制約することにならず、しかも球払出通路２２を共用することができる。
【００３７】
以上により球抜き通路２６が四方を専用の通路壁で囲まれなくても既存の部材で球通路を形成でき、内枠側部の厚み分に加えて球通路を仕切る通路壁（前後左右側壁）の厚み分だけ遊技盤後方領域を前後左右方向に拡大することができ、パチンコ機１のほぼ中央に設けられる遊技盤ユニットＵの後方領域を拡大することができる。また、球抜き通路２６を形成する四方の通路壁の厚みを省略でき省スペース化が図れるとともに、外枠２や盤裏カバー２７の構造も複雑にならないので、簡易かつ安価に遊技領域の後方領域を拡大することができる。
【００３８】
上述した各実施形態では、盤裏カバー２７の外壁面２７ａによって、少なくとも球払出通路２２若しくは球抜き通路２６のいずれか一方が形成される場合について説明したが、これら双方を形成することも可能である。
【００３９】
例えば、図１３（ｂ）において、内枠４の開口部４ｆに遊技盤ユニットＵが組み付けられる。盤裏カバー２７にはカバー側壁部２７ｃ、カバー側壁部２７ｃに連続するカバー後壁部２７ｄ、カバー後壁部２７ｄより後方に突出した後方突壁部２７ｅ（以上は外壁面２７ａ）が設けられている。また、内枠４には内枠側壁部４ｅに連続する内枠後壁部４ｄと、該内枠後壁部４ｄより後方に形成された内枠後壁凹部４ｇ（以上は内壁面４ｃ）が設けられている。
【００４０】
図１３（ａ）において、遊技盤ユニットＵが装着された内枠４が外枠２に対して閉鎖されると、盤裏カバー２７のカバー側壁部２７ｃ（外壁面２７ａ）と対向する内枠４の内枠側壁部４ｅ（内壁面４ｃ）、カバー前壁部２７ｂ（外壁面２７ａ）と対向する内枠後壁部４ｄ（内壁面４ｃ）とで球抜き通路２６が形成される。また、内枠４の後方に形成された内枠後壁凹部４ｇ（内壁面４ｃ）と該内枠後壁凹部４ｇと対向する盤裏カバー２７のカバー後壁部２７ｄ（外壁面２７ａ）とで球払出通路２２が形成される。
【００４１】
これにより球抜き通路２６のみならず球払出通路２２も四方を専用の通路壁で囲まれなくても既存の部材で球通路を形成でき、球通路の側壁の厚み分に加えて後壁の厚み分だけ遊技盤後方領域を前後左右方向に拡大することができ、遊技盤ユニットＵの後方領域を拡大することができる。
【００４２】
遊技機の一例としてパチンコ機について説明したが、他の遊技機、例えば雀球遊技機やアレンジボール遊技機などに適用してもよい。
【符号の説明】
【００４３】
Ｕ  遊技盤ユニット
１  パチンコ機  
２  外枠  
２ａ  凹面（側壁面）  
２ｂ  外枠側壁部  
２ｃ  外枠前壁部  
２ｄ  外枠後壁部  
３  遊技盤  
４  内枠  
４ａ，４ｂ  ヒンジ  
４ｃ  内壁面（側壁面）  
４ｄ  内枠後壁部  
４ｅ  内枠側壁部
４ｆ  開口部
４ｇ  内枠後壁凹部
５  前面枠  
６  窓部  
７  スピーカー  
８  球受け皿  
９  発射ハンドル  
１０  図柄表示装置  
１１  センター役物  
１２  スルーチャッカー  
１３  風車  
１４  電動チューリップ  
１５  アタッカー  
１６  遊技盤レール  
１７  サイドランプ  
１８  貯留タンク  
１９  タンクレール  
２０  球払出装置  
２１  連絡通路  
２２  球払出通路  
２３  球払出樋  
２４，３６  球抜き機構  
２４ａ  球抜きレバー  
２５  球抜き接続通路  
２５ａ  開口部
２５ｂ  シャッター  
２６  球抜き通路  
２７  盤裏カバー  
２７ａ  外壁面  
２７ｂ  カバー前壁部  
２７ｃ  カバー側壁部  
２７ｄ  カバー後壁部  
２７ｅ  後方突壁部  
２８  アウト球集合樋  
２８ａ  受け口  
２８ｂ  球抜き受け  
２９  基板ケースカバー  
３０  球誘導路  
３１  回転体  
３１ａ  円弧部  
３１ｂ  球受け凹部  
３２  計数センサ  
３３  払出検出基板  
３３ａ，３５ｂ  コネクタ  
３４  満タンスイッチ  
３４ａ  軸部  
３５  満タン検出基板  
３５ａ  フォトセンサ  
３７  球誘導路  
３８  開閉弁  
３８ａ  ボス部  
３９  規制部材  
４０  操作部材
【図１】
2011056089.tif 000003
【図２】
2011056089.tif 000004
【図３】
2011056089.tif 000005
【図４】
2011056089.tif 000006
【図５】
2011056089.tif 000007
【図６】
2011056089.tif 000008
【図７】
2011056089.tif 000009
【図８】
2011056089.tif 000010
【図９】
2011056089.tif 000011
【図１０】
2011056089.tif 000012
【図１１】
2011056089.tif 000013
【図１２】
2011056089.tif 000014
【図１３】
2011056089.tif 000015